(57)【要約】【課題】所有者の声質に合わせて周波数特性を設定して使用することを意図したマイクロホンを提供する。【解決手段】回路基板には、マイクロホンカプセル１が出力する音声信号を増幅して外部出力するプリアンプ２と、プリアンプ２の周波数特性を変化させる特性変更回路と、特性変更回路に接続されたメモリ用コネクタ７が実装されている。、メモリ用コネクタ７には特性変更回路の特性を決定するパラメータを記憶したＰＲＯＭカートリッジ８が着脱自在に装着される。ケーシング１０には開閉機構９が設けられ、ＰＲＯＭカートリッジ８着脱の際の開口を形成可能であるとともに、装着されたＰＲＯＭカートリッジ８をケーシング１０内に閉じ込め可能である。【選択図】  図１
2011135310.tif 000002
【特許請求の範囲】
【請求項１】
マイクロホンカプセルと回路基板をケーシングに内蔵したマイクロホンであって、
回路基板には、マイクロホンカプセルが出力する音声信号を増幅して外部出力するプリアンプと、プリアンプの周波数特性を変化させる特性変更回路と、特性変更回路に接続されたメモリ用コネクタが実装されており、
メモリ用コネクタには、特性変更回路の特性を決定するパラメータを記憶したＰＲＯＭカートリッジが着脱自在に装着され、
ケーシングには開閉機構が設けられ、当該開閉機構は、ＰＲＯＭカートリッジ着脱の際の開口を形成可能であるとともに、装着されたＰＲＯＭカートリッジをケーシング内に閉じ込め可能である
マイクロホン。
【発明の詳細な説明】
【技術分野】
【０００１】
この発明は、カラオケなどで使用するマイクロホンに関し、とくに、所有者の声質に合わせて周波数特性を設定して使用することを意図したマイクロホンに関する。
【背景技術】
【０００２】
《特開２００２−３４５０６５号公報  マイクロホンの特性調整装置》
送話感度や周波数特性を調整する目的で、マイクロホンケースにおける空気振動系の特性に関与する構成部品の位置を回転変位させるように構成している。
【０００３】
《特開平５−３６００号公報  コンデンサマイクロホン》
低域遮断周波数特性を調整する目的で、振動板の背後の空気室を微小隙間を介して外部に連通させ、その微小隙間の大きさを機械的に可変調整できるように構成している。
【０００４】
《特開２００−２７８７８３号公報  広帯域指向性マイクロホン》
１つのマイクロホンケースに２つのマイクロホンカプセルを工夫した配置で内蔵し、両カプセルの出力信号を加算した信号をマイクロホンの出力とすることで、空気振動系の回折効果により広帯域にわたる平坦な周波数特性を実現している。
【０００５】
《特開２００８−１６６９０７号公報  コンデンサマイクロホン》
音響入力に感応する有効静電容量に対して前置減衰用コンデンサを並列接続してある。マイクロホンケースに内蔵されている前置減衰用コンデンサは工夫した実装構造により容量値を変更できる。前置減衰用コンデンサの容量値を変えることで指向特性を変えることができる。
【０００６】
《実開平５−９０６００号公報  マイクロホンアンプ》
マイクロホンからの音声信号の周波数を変換する手段、同音声信号の周波数特性を調整する手段、同音声信号の歪特性を調整する手段、これら各手段の特性を規定する調整パターンデータを記憶する手段を備えている。
【０００７】
《特開平８−２９８６９９号公報  特性調整機能付補聴器》
マイクロホンからの音声信号が入力されるイコライザアンプと、イコライザアンプの帯域ごとにゲインを調整するための可変発振器を含むゲイン調整手段を備え、周波数特性を利用者が自分で簡単に調整することができる。
【０００８】
《特開２００９−１１８１１９号公報  ワイヤレスマイク》
マイクロホンに音質切替スイッチが設けられている。この音質切替スイッチの切り替え操作に応じて、マイクロホンカプセルから出力される音声信号の周波数特性を決定するイコライザと、イコライザから出力される音声信号を変調して送信する無線送信回路とがマイクロホンに内蔵されている。
【発明の開示】
【０００９】
＝＝＝発明のきっかけ＝＝＝
周知のように、ボーリング場にはいろいろな特性のボールが標準装備されており、利用者はその中から自分にあったボールを選んでゲームをする。ただし、熱心なボーリング愛好者は標準装備のボールでは満足せず、専門店にて特注で製作してもらった自分用のボールを所有し（これをマイボールという）、マイボールをボーリング場に持参してゲームをしている。本願の発明者は、ボーリングのマイボールに着想を得て、この発明に係るマイクロホン（愛称はマイマイク）を創作した。
【００１０】
周知のように、カラオケ店にはマイクロホンが標準装備されており、利用者は備え付けのマイクロホンを使用して歌唱を楽しんでいる。一部のカラオケ装置においては、ボーカルアンプに高性能な音質調整回路が付属しており、利用者はオーディオシステムから拡声出力される自分の歌声の音質を大胆かつ微細に変更調整することができる。しかし調整操作は面倒だし、せっかく自分用に調整しても他人が歌うときに設定を変えられてしまう。また、この調整で音質を細部にわたって変更できるように構成すると、調整作業の煩雑さが増してしまう。また、一度調整した内容を適宜な媒体に記録しておき、その記録に基づいて調整内容を自動的に再現する技術も知られている。しかし、そのようなカラオケ装置は普及していない。
【００１１】
発明者はつぎのような状況を想定して本発明に係るマイクロホンを創作した。つまり、熱心なカラオケ愛好者がマイマイク専門店に行き、自分の声質を詳しく測定してもらうとともに、楽曲の好み、歌手の好み、歌い方の好み、拡声後の自分の声質に対する要望などを説明し、目的にかなった自分用に調整された周波数特性のマイクロホンを製作してもらう。このマイマイクをカラオケ店に持参して自分専用のマイクロホンとして利用する。
【００１２】
＝＝＝発明の要旨＝＝＝
上記のような構想から生み出されたこの発明に係るマイクロホンは、つぎの事項（１）〜（４）により特定されるものである。
（１）マイクロホンカプセルと回路基板をケーシングに内蔵したマイクロホンであること
（２）回路基板には、マイクロホンカプセルが出力する音声信号を増幅して外部出力するプリアンプと、プリアンプの周波数特性を変化させる特性変更回路と、特性変更回路に接続されたメモリ用コネクタが実装されていること
（３）メモリ用コネクタには、特性変更回路の特性を決定するパラメータを記憶したＰＲＯＭカートリッジが着脱自在に装着されること
（４）ケーシングには開閉機構が設けられ、当該開閉機構は、ＰＲＯＭカートリッジ着脱の際の開口を形成可能であるとともに、装着されたＰＲＯＭカートリッジをケーシング内に閉じ込め可能であること
【図面の簡単な説明】
【００１３】
【図１】この発明の一実施例に係るマイクロホンの電気的構成図である。
【図２】同実施例のマイクロホン外観図である。
【実施例】
【００１４】
図１はこの発明の一実施例に係るマイクロホンの電気的構成を示し、図２は同マイクロホンの外観を示している。この実施例は８００ＭＨｚ帯の電波を使用するワイヤレスマイクである。図２のように、このマイクロホン（ケーシング１０）の外観は一般的なワイヤレスマイクと変わらない。ケーシング１０に図１に示す電気的構成がプリント配線板（図示していない）に適宜に実装された状態で内蔵されている。
【００１５】
マイクロホンカプセル１はダイナミック型やコンデンサ型など、その種類を問わない。マイクロホンカプセル１から出力される音声信号はプリアンプ２を経てチャンネルデバイダー３に入力され、複数の周波数帯域に分割される。この発明においては、マイクロホンの所有者（専用する人）の声質や好みに合わせた周波数特性を実現することを目的としているので、チャンネル分割数は多い方が望ましい。
【００１６】
チャンネルデバイダー３から出力される複数系統の帯域信号は、それぞれ専用の利得制御アンプＡ１、Ａ２、…、Ａｎにより増幅され、各帯域の増幅出力はミキサー４にて加算されて１系統の音声信号に再構成される。その音声信号が送信回路５に入力され、所定の搬送波でのせて電波として送信される。
【００１７】
ｎ個の利得制御アンプＡ１、Ａ２、…、Ａｎの各利得は、マイコン６によって個別に制御される。マイコン６のデジタル入出力ポートにはメモリ用コネクタ７が接続されており、このコネクタ７に所定規格のＰＲＯＭカートリッジ８が着脱自在に装着される。
【００１８】
ＰＲＯＭカートリッジ８には、ｎ個の利得制御アンプＡ１、Ａ２、…、Ａｎの各利得を決定するデジタルデータが所定フォーマットで記録されている。たとえば、１個の利得制御アンプＡｉの利得を８ビットの２進数で表現したデータがｎ個分格納されている。
【００１９】
マイコン６はｎ個のアナログ出力ポートを有し、各ポートから出力するアナログ電圧信号をｎ個の利得制御アンプＡ１、Ａ２、…、Ａｎの各利得制御端子に印加する。ｎ個の利得制御アンプＡ１、Ａ２、…、Ａｎは、マイコン６から与えられるアナログ電圧信号に対応した利得でチャンネルデバイダー３からの各帯域に分割された音声信号を増幅する。
【００２０】
マイコン６は、ＰＲＯＭカートリッジ８に格納された利得制御データを読み込み、各デジタルデータとｎ個の利得制御アンプＡ１、Ａ２、…、Ａｎとの対応づけを認知し、利得制御アンプＡｉにつながるアナログポートから利得制御アンプＡｉに対応するデジタルデータに基づくアナログ電圧信号を出力する信号処理を行う。
【００２１】
図２に示すように、この実施例のマイクロホンの場合、ケーシング１０における風防と
反対側の下端部がスクリューキャップ９になっており、ケーシング１０の円筒の端部にねじ込み式でキャップ９を着脱自在に装着するように構成されている。
【００２２】
ケーシング１０からスクリューキャップ９を取り外すと、ケーシング１０に開口が形成され、その内側に上記のメモリ用コネクタ７が配設されており、その差込口が手前に向いている。ケーシング１０の開口からＰＲＯＭカートリッジ８を差し入れてメモリ用コネクタ７に接続することができる。また、接続してあるＰＲＯＭカートリッジ８をメモリ用コネクタ７から取り外すことができる。コネクタ７にＰＲＯＭカートリッジ８を接続し、スクリューキャップ９をケーシング１０にねじ込めば、ＰＲＯＭカートリッジ８はケーシング１０内に閉じ込められる。
【００２３】
この発明の実施例に係るマイクロホンは以上のように構成されているので、ＰＲＯＭカートリッジ８に格納された利得制御データの内容によって異なる周波数特性のマイクロホンとなる。利用者はこのマイクロホンを専門店で購入するにあたり、自分の声質を詳しく測定してもらうとともに、楽曲の好み、歌手の好み、歌い方の好み、拡声後の自分の声質に対する要望などを説明し、目的にかなった自分用に調整された周波数特性となるように上記利得制御データを作成してもらい、そのデータを専門店のＰＲＯＭライターでＰＲＯＭカートリッジ８に記録し、ケーシング１０内に装着してもらう。これを購入した人は、このマイマイクをカラオケ店に持参して自分専用のマイクロホンとして利用する。
【符号の説明】
【００２４】
１…マイクロホンカプセル、２…プリアンプ、８…ＰＲＯＭカートリッジ、９…スクリューキャップ、１０…ケーシング
【図１】
2011135310.tif 000003
【図２】
2011135310.tif 000004